(57)【特許請求の範囲】
【請求項１】
透液性表面シートと裏面シートとの間に吸収体が介在されるとともに、前記透液性表面シートと吸収体との間に中間シートが配設された吸収性物品において、
前記透液性表面シートと中間シートとの間の体液排出部位に対応する領域の幅方向両側部にそれぞれ、長手方向に沿って、接着剤を面状に塗布した第１接着剤層を形成するとともに、前記中間シートと吸収体との間の前記第１接着剤層より幅方向外側であって、前記第１接着剤層より長手方向に長い領域に、長手方向に沿って、接着剤を面状に塗布した第２接着剤層を形成してあることを特徴とする吸収性物品。
【請求項２】
前記透液性表面シートと中間シートとの間の前記吸収性物品の長手方向両端部にそれぞれ、幅方向に沿って、接着剤を面状に塗布した第３接着剤層を形成してある請求項１記載の吸収性物品。
【請求項３】
前記接着剤層はそれぞれ、接触式のスロット塗工により形成されている請求項１、２いずれかに記載の吸収性物品。
【請求項４】
前記第２接着剤層は、吸収性物品の長手寸法に対し７０％以上の長さで形成されている請求項１〜３いずれかに記載の吸収性物品。
【請求項５】
前記透液性表面シートの面側に体液排出部位を囲むようにエンボス溝が形成され、
前記接着剤層はそれぞれ、前記エンボス溝より外側に形成されている請求項１〜４いずれかに記載の吸収性物品。
【請求項６】
前記第１接着剤層の領域内にそれぞれ、前記透液性表面シートの表面側からの圧搾により、長手方向に沿って両側エンボスを形成してある請求項１〜５いずれかに記載の吸収性物品。
【請求項７】
前記透液性表面シートの面側に体液排出部位を囲むようにエンボス溝が形成され、
前記透液性表面シートと中間シートとの間の前記エンボス溝より前側及び後側の両方又はいずれか一方に、前記エンボス溝に沿って、接着剤を面状に塗布した第４接着剤層を形成してある請求項１〜６いずれかに記載の吸収性物品。
【請求項８】
前記中間シートは、前記透液性表面シートと吸収体との間に配設された親水性のセカンドシート又は前記吸収体を囲繞する被包シートである請求項１〜７いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくは体液の漏れを防止するため、所定の領域に接着剤を面状に塗布した接着剤層を設けた吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、体液の漏れを防止する手段が種々講じられている。かかる体液漏れ防止手段としては、肌当接面側の両側部に長手方向に沿って肌側に突出する立体ギャザーを形成したもの（例えば下記特許文献１）、吸収体に透液性表面シートを被覆した状態で前記透液性表面シートの表面側からの圧搾によりエンボス溝を形成したもの（例えば下記特許文献２）などが知られている。
【先行技術文献】
【特許文献】
【０００４】
【特許文献１】特開平１１−１９１２０号公報
【特許文献２】特開２００２−１１９５４０号公報
【発明の概要】
【発明が解決しようとする課題】
【０００５】
前記立体ギャザーを形成したものでは、立体ギャザーで堰き止められた体液が透液性表面シートを浸透して吸収体に吸収できるようになっているが、この堰き止められた体液が吸収体に吸収される過程で、透液性表面シートと吸収体との間に溜まり、これらの層間を拡散して外側に漏れ出るおそれがあった。
【０００６】
また、前記エンボス溝を形成したものでは、エンボス溝に透液性表面シートの表面を流れる体液が流れ込むことによって、体液を確実に吸収体に吸収するとともに、体液がエンボス溝より外側に流れるのを防止しているが、大量の体液が排出された場合、エンボス溝から溢れ出た体液がエンボス溝より外側に流れて漏れが発生する場合があった。
【０００７】
特に、吸収体より表面側に配置される透液性表面シートや透液性表面シートと吸収体との間に設けられる親水性のセカンドシートは、体液の吸収スピードが速いため、体液がこれらのシートを素早く通過するが、吸収体の吸収スピードが透液性表面シートやセカンドシートの吸収スピードより遅いため、吸収体の表面に達した体液が吸収体に吸収される前に吸収体とセカンドシートとの間や透液性表面シートとセカンドシートとの間に溜まりやすく、これらのシート間に溜まった体液が外側に拡散して漏れが発生することが問題とされていた。
【０００８】
そこで本発明の主たる課題は、吸収体に吸収される前の体液がシート間を拡散して外側に漏れるのを防止した吸収性物品を提供することにある。
【課題を解決するための手段】
【０００９】
上記課題を解決するために請求項１に係る本発明として、透液性表面シートと裏面シートとの間に吸収体が介在されるとともに、前記透液性表面シートと吸収体との間に中間シートが配設された吸収性物品において、
前記透液性表面シートと中間シートとの間の体液排出部位に対応する領域の幅方向両側部にそれぞれ、長手方向に沿って、接着剤を面状に塗布した第１接着剤層を形成するとともに、前記中間シートと吸収体との間の前記第１接着剤層より幅方向外側であって、前記第１接着剤層より長手方向に長い領域に、長手方向に沿って、接着剤を面状に塗布した第２接着剤層を形成してあることを特徴とする吸収性物品が提供される。
【００１０】
上記請求項１記載の発明では、透液性表面シートと中間シートとの間の体液排出部位に対応する領域の幅方向両側部にそれぞれ、長手方向に沿って第１接着剤層を形成してあるため、透液性表面シートと中間シートとの間を拡散する体液が前記第１接着剤層で堰き止められ、下層側（吸収体側）に浸透するようになる。
【００１１】
また、本吸収性物品では、中間シートと吸収体との間の所定領域に第２接着剤層を形成してあるため、中間シートと吸収体との間を拡散する体液も前記第２接着剤層で堰き止められ、下層側（吸収体側）に浸透するようになる。しかも、前記第２接着剤層は、透液性表面シートと中間シートとの間の前記第１接着剤層より幅方向外側であって、前記第１接着剤層より長手方向に長い領域に形成してあるため、前記第１接着剤層で堰き止められた体液が中間シートを浸透して中間シートと吸収体との間を拡散しても、前記第２接着剤層で確実に堰き止めることができるようにしている。
【００１２】
さらに、前記第１接着剤層及び第２接着剤層は、接着剤を面状に塗布することにより形成されている。すなわち、接着剤層の全面が接着剤の塗布部となり、塗布部と非塗布部とが混在するようには設けていない。このため、体液が非塗布部に浸入して接着剤層を越えて拡散するようなことがなくなり、接着剤層によって確実に体液を堰き止めることが可能となる。
【００１３】
このように、本吸収性物品では、前記第１接着剤層及び第２接着剤層の２段階に亘って、各シート間を幅方向外側に拡散する体液が堰き止められるので、吸収体に吸収される前の体液がシート間を拡散して吸収性物品の幅方向外側に漏れ出る横漏れが確実に防止できるようになる。
【００１４】
請求項２に係る本発明として、前記透液性表面シートと中間シートとの間の前記吸収性物品の長手方向両端部にそれぞれ、幅方向に沿って、接着剤を面状に塗布した第３接着剤層を形成してある請求項１記載の吸収性物品が提供される。
【００１５】
上記請求項２記載の発明では、透液性表面シートと中間シートとの間の吸収性物品の長手方向両端部にそれぞれ、幅方向に沿って、接着剤を面状に塗布した第３接着剤層を形成してあるため、体液が透液性表面シートと中間シートとの間を長手方向に拡散して前後端部から外側に漏れる前後漏れが防止できるようになる。
【００１６】
請求項３に係る本発明として、前記接着剤層はそれぞれ、接触式のスロット塗工により形成されている請求項１、２いずれかに記載の吸収性物品が提供される。
【００１７】
上記請求項３記載の発明では、前記第１接着剤層、第２接着剤層及び第３接着剤層をそれぞれ、接触式のスロット塗工により形成しているため、非接触式で塗工するものより接着剤層の周縁が明確となって、体液を堰き止める効果が向上する。
【００１８】
請求項４に係る本発明として、前記第２接着剤層は、吸収性物品の長手寸法に対し７０％以上の長さで形成されている請求項１〜３いずれかに記載の吸収性物品が提供される。
【００１９】
上記請求項４記載の発明では、第２接着剤層を吸収性物品の長手寸法に対して７０％以上の長さで形成することによって、中間シートと吸収体との間を拡散する体液に十分対応することができ、より確実に横漏れが防止できるようになる。
【００２０】
請求項５に係る本発明として、前記透液性表面シートの面側に体液排出部位を囲むようにエンボス溝が形成され、
前記接着剤層はそれぞれ、前記エンボス溝より外側に形成されている請求項１〜４いずれかに記載の吸収性物品が提供される。
【００２１】
上記請求項５記載の発明では、エンボス溝より外側に流れた体液の拡散を防止するため、前記接着剤層をそれぞれエンボス溝より外側に形成している。
【００２２】
請求項６に係る本発明として、前記第１接着剤層の領域内にそれぞれ、前記透液性表面シートの表面側からの圧搾により、長手方向に沿って両側エンボスを形成してある請求項１〜５いずれかに記載の吸収性物品が提供される。
【００２３】
上記請求項６記載の発明では、前記第１接着剤層の領域内にそれぞれ、透液性表面シートの表面側からの圧搾により、長手方向に沿って、両側エンボスを形成することによって、前記第１接着剤層と両側エンボスとによる体液堰き止めの相乗効果が期待できるとともに、前記両側エンボスによって圧縮された部分の吸収体に含まれるポリマーが吸水した際の表面側への体液の逆戻りが防止できるようになる。
【００２４】
請求項７に係る本発明として、前記透液性表面シートの面側に体液排出部位を囲むようにエンボス溝が形成され、
前記透液性表面シートと中間シートとの間の前記エンボス溝より前側及び後側の両方又はいずれか一方に、前記エンボス溝に沿って、接着剤を面状に塗布した第４接着剤層を形成してある請求項１〜６いずれかに記載の吸収性物品が提供される。
【００２５】
上記請求項７記載の発明では、体液排出部位を囲むように形成した前記エンボス溝より前側及び後側の両方又はいずれか一方に、前記エンボス溝に沿って、接着剤を面状に塗布した第４接着剤層を形成することにより、前後方向に拡散した体液が前記第４接着剤層によって堰き止められ、前後端部からの漏れが確実に防止できるようにしている。
【００２６】
請求項８に係る本発明として、前記中間シートは、前記透液性表面シートと吸収体との間に配設された親水性のセカンドシート又は前記吸収体を囲繞する被包シートである請求項１〜７いずれかに記載の吸収性物品が提供される
【発明の効果】
【００２７】
以上詳説のとおり本発明によれば、吸収体に吸収される前の体液がシート間を拡散して外側に漏れるのが防止できるようになる。
【図面の簡単な説明】
【００２８】
【図１】本発明に係る生理用ナプキン１の一部破断展開図である。
【図２】図１のII−II線矢視図である。
【図３】図１のIII−III線矢視図である。
【図４】体液の流れを示す、生理用ナプキン１の要部拡大断面図である。
【図５】他の形態例に係る生理用ナプキン１の展開図である。
【図６】図５のVI−VI線矢視図である。
【図７】両側エンボス溝１４部分の拡大断面図である。
【図８】他の形態例に係る生理用ナプキン１の展開図である。
【図９】他の形態例に係る生理用ナプキン１の断面図である。
【発明を実施するための形態】
【００２９】
以下、本発明の実施の形態について図面を参照しながら詳述する。
〔生理用ナプキン１の基本構成〕
本発明に係る生理用ナプキン１は、図１〜図３に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、前記透液性表面シート３と吸収体４との間に配置される親水性のセカンドシート６と、表面両側部にそれぞれ長手方向に沿って配設されたサイド不織布７，７とから構成されている。また、前記吸収体４の周囲において、そのナプキン長手方向の前後端縁部では、前記不透液性裏面シート２、透液性表面シート３及びセカンドシート６の外縁部がホットメルトなどの接着剤やヒートシール等の接着手段によって接合され、またその両側縁部では吸収体４の端縁よりも側方に延出している前記不透液性裏面シート２と前記サイド不織布７とがホットメルトなどの接着剤やヒートシール等の接着手段によって接合され、外周に吸収体４の存在しない外周フラップ部が形成されている。また、前記透液性表面シート３の表面側（肌当接面側）からのエンボスにより、排血口部位Ｈを囲むように、エンボス溝１０が形成されている。必要に応じて、前記吸収体４の形状保持および拡散性向上のために前記吸収体４を囲繞するクレープ紙や不織布等からなる被包シートを設けてもよい。
【００３０】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３１】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高で圧縮復元性が高い点で優れている。
【００３２】
前記不透液性裏面シート２と透液性表面シート３との間に介在される吸収体４は、たとえばパルプ中に高吸水性樹脂を混入したもの、或いはパルプ中に化学繊維を混入させるとともに、高吸水性樹脂を混入したものが使用される。前記吸収体４は、形状保持、および経血等を速やかに拡散させるとともに、一旦吸収した経血等の逆戻りを防止するために被包シートによって囲繞することができる。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。また、前記吸収体４として、嵩を小さくできるエアレイド吸収体を用いてもよい。
【００３３】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３４】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は吸収体重量の１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００３５】
吸収体４を囲繞する被包シートを設ける場合には、結果的に透液性表面シート３と吸収体４との間に被包シートが介在することになり、吸収性に優れる前記被包シートによって体液を速やかに拡散させるとともに、これら経血等の逆戻りを防止するようになる。
【００３６】
一方、本生理用ナプキン１の表面側の両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによってウイング状フラップＷ、Ｗが形成されている。
【００３７】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３８】
前記サイド不織布７の内方側は、図２に示されるように、前記サイド不織布７をほぼ二重に折り返すとともに、この二重シート内部に、その高さ方向中間部に両端または長手方向の適宜の位置が固定された１または複数の、図示例では２本の糸状弾性伸縮部材８，８が配設され、その収縮力によって前記二重シート部分を肌側に起立させた立体ギャザーＢＳ、ＢＳが形成されている。
〔エンボス溝１０〕
図１に示されるように、前記透液性表面シート３の面側には、排血口部Ｈを囲むように、エンボス溝１０が形成されている。
【００３９】
前記エンボス溝１０は、種々の平面パターンで設けることが可能である。本例では、図１に示されるように、排血口部Ｈを囲むように、ナプキン長手方向に長い全体として略小判形の閉合形状とされた中央エンボス１１と、前記中央エンボス１１の前側に離間して配置され、排血口部Ｈ側が幅方向に離間する略逆Ｕ字状をなす前側エンボス１２と、前記中央エンボス１１の後側に離間して配置され、排血口部Ｈ側が幅方向に離間する略Ｕ字状をなす後側エンボス１３とから構成されている。
【００４０】
図示例のエンボス溝１０についてさらに詳しく説明すると、前記中央エンボス１１は、該中央エンボス１１で囲まれた領域を装着者の排血口部に密着させやすくするとともに、体液の横方向及び前後方向への拡散を抑制して横漏れ及び前後漏れを防止するためのものである。前記前側エンボス１２及び後側エンボス１３はそれぞれ、中央エンボス１１を越えて前側又は後側に拡散した体液を受け止めて、前側又は後側への体液の漏れを防止するためのものである。
【００４１】
前記中央エンボス１１は、少なくとも排血口部Ｈを含む領域、好ましくは図１に示されるようにウイング状フラップＷの基端長さとほぼ同じかこれより長い長手領域において、ナプキン長手方向に長い縦長の略小判形、楕円形又は長円形に形成されている。エンボス溝の溝幅は、全体に亘って同幅としてもよいが、図示例のように、両側の略長手方向に延びる部分の溝幅を、前後の円弧状部分の溝幅より狭くしてもよい。
【００４２】
前記前側エンボス１２は、ナプキン前側に膨出する円弧状に形成されるとともに、後側の両端部が幅方向に離間し、その両端部から連続して幅方向外側に向けて延在する略逆Ｕ字状（略Ω状）パターンで形成されている。前記円弧状部分のナプキン幅方向の離間幅は、中央エンボス１１のナプキン幅方向の離間幅とほぼ同等に形成され、中央エンボス１１より前側に拡散した体液が前側エンボス１２の内側に浸入しやすくなっている。前側エンボス１２の溝幅は、全体に亘ってほぼ等幅に形成されている。
【００４３】
前記後側エンボス１３は、ナプキン後側に膨出する円弧状に形成されるとともに、前側の両端部が幅方向に離間し、その両端部から連続して幅方向外側に向けて延在する略Ｕ字状（略逆Ω状）パターンで形成されている。前記後側エンボス１３は、臀部溝の伝い漏れなどを防止するため、前記前側エンボス１２と比較してナプキン長手方向に長く形成され、ナプキン長手方向のより広い範囲で体液を受け止めることができるようになっている。後側エンボス１３の溝幅も全体に亘ってほぼ同等に形成されている。
【００４４】
前記エンボス溝１０は、吸収体４を５０％〜９０％程度まで圧縮する深さで形成するのが好ましい。また、溝幅（エンボス溝１０底面の幅）は、１ｍｍ〜５ｍｍ程度とするのがよい。
〔接着剤層〕
本生理用ナプキン１では、図１及び図２に示されるように、透液性表面シート３とセカンドシート６との間の排血口部Ｈに対応する領域の幅方向両側部にそれぞれ、ナプキン長手方向に沿って、ホットメルトなどの接着剤を面状に塗布した第１接着剤層２０、２０が形成されるとともに、セカンドシート６と吸収体４との間の前記第１接着剤層２０より幅方向外側であって、前記第１接着剤層２０より長手方向に長い領域に、ナプキン長手方向に沿って、ホットメルトなどの接着剤を面状に塗布した第２接着剤層２１、２１が形成されている。
【００４５】
さらに、図１及び図３に示されるように、透液性表面シート３とセカンドシート６との間のナプキン長手方向両端部にそれぞれ、幅方向に沿って、接着剤を面状に塗布した第３接着剤層２２を形成するのが好ましい。
【００４６】
これにより、本生理用ナプキン１では、図４に示されるように、前記第１接着剤層２０によって、透液性表面シート３とセカンドシート６との間を幅方向外側に拡散する体液が堰き止められ、この堰き止められた体液が下層側（吸収体４側）に浸透するようになる。このため、前記第１接着剤層２０より幅方向外側に体液が拡散するのが抑えられ、体液の横漏れが防止できるようになる。
【００４７】
また、本生理用ナプキン１では、前記第２接着剤層２１によって、セカンドシート６と吸収体４との間を幅方向外側に拡散する体液が堰き止められ、この堰き止められた体液が下層側（吸収体４側）に浸透するようになる。しかも、前記第２接着剤層２１は、第１接着剤層２０より幅方向外側であって、第１接着剤層２０より長手方向に長い領域に形成してあるため、前記第１接着剤層２０で堰き止められ下層側に浸透した体液が幅方向外側に拡散するのを前記第２接着剤層２１によって堰き止めることができ、体液の横漏れが確実に防止できるようになる。
【００４８】
このように、本生理用ナプキン１では、第１接着剤層２０及び第２接着剤層２１の２段階に亘って、体液が各シート間を外側に拡散するのを堰き止めているので、吸収体４に吸収される前の体液がシート間を拡散して生理用ナプキン１の幅方向外側に横漏れするのが確実に防止できるようになる。なお、体液を堰き止める部材として、前記接着剤層を設ける他に、撥水機能を持つフィルム材などを配置することも考えられるが、原料コストが安価である、製造ラインの変更が少ない、不織布層にまで浸透して堰き止め効果が高くなるなどの理由から、前記接着剤層を設けた場合の方がメリットが大きい。
【００４９】
さらに、本生理用ナプキン１では、前記第３接着剤層２２によって、長手方向外側に拡散する体液が堰き止められ、長手方向両端からの前後漏れも防止している。
【００５０】
以下、前記接着剤層についてより詳細に説明すると、
前記第１接着剤層２０は、図１及び図２に示されるように、透液性表面シート３とセカンドシート６との間に形成され、これら透液性表面シート３とセカンドシート６とを直接接合するために設けられるものである。すなわち、セカンドシート６の表面側に第１接着剤層２０を構成する接着剤が直接塗布され、その上面に透液性表面シート３が積層されることにより、前記透液性表面シート３とセカンドシート６とが前記第１接着剤層２０によって直接接合されている。
【００５１】
図１に示されるように、透液性表面シート３の面側に排血口部Ｈを囲む中央エンボス１１が形成される場合、この中央エンボス１１を越えて幅方向外側に流れた体液の拡散を防止するため、前記第１接着剤層２０は、前記中央エンボス１１より幅方向外側であって、前記中央エンボス１１の側縁から間隔をあけた領域に形成するのが好ましい。前記中央エンボス１１で大多数の体液が堰き止められるため、前記接着剤層は、中央エンボス１１を越えて拡散した体液を堰き止める役割を有するようになる。
【００５２】
前記第１接着剤層２０のナプキン長手方向の範囲としては、図１に示されるように、少なくとも装着者の排血口部Ｈをナプキン幅方向に含む範囲、好ましくは装着者の排血口部Ｈより前後に長い範囲に形成するのがよい。図１では、第１接着剤層２０は、装着者の排血口部Ｈより長い範囲であって、ウイング状フラップＷの基端長さとほぼ同等の長さで形成され、中央エンボス１１の長手方向長さより若干短く形成されている。これにより、排血口部Ｈから外側に拡散した体液が前記第１接着剤層２０によって効果的に堰き止められるようになる。
【００５３】
図１に示されるように、前記第１接着剤層２０は、排血口部Ｈの両側にそれぞれ１条ずつ左右一対で形成するのが好ましいが、排血口部Ｈの両側にそれぞれ幅方向に離間して複数条ずつ設けてもよい。
【００５４】
次いで、前記第２接着剤層２１は、図１及び図２に示されるように、セカンドシート６と吸収体４との間に形成され、これらセカンドシート６と吸収体４とを直接接合するために設けられるものである。すなわち、吸収体４の表面側に第２接着剤層２１を構成する接着剤が直接塗布され、その上面にセカンドシート６が積層されることにより、前記セカンドシート６と吸収体４とが前記第２接着剤層２１によって直接接合されている。なお、前記吸収体４を囲繞する被包シートが設けられる場合には、前記第２接着剤層２１は、セカンドシート６と被包シートとの間に形成するのが好ましい。
【００５５】
前記第２接着剤層２１は、図１及び図２に示されるように、前記第１接着剤層２０より幅方向外側に形成されている。第１接着剤層２０より幅方向外側に形成されるとは、生理用ナプキン１の長手方向中心線を境とした片側半分において、第２接着剤層２１の長手方向中心線側の端部が第１接着剤層２０の長手方向中心線側の端部より外方側（生理用ナプキン１の側縁側）に位置することを意味している。これにより、第１接着剤層２０によって堰き止められセカンドシート６を透過した体液が幅方向外側に拡散するのを、前記第２接着剤層２１によって効果的に堰き止めることができるようになる。第１接着剤層２０と第２接着剤層２１とは、図１に示されるように、平面視で、幅方向に離間する離間部を有するように設けるのが好ましいが、平面視で一部重なるように設けてもよい。
【００５６】
前記第２接着剤層２１を形成するナプキン幅方向の位置としては、図１に示されるように、吸収体４の両側縁部に沿って形成するのが好ましい。これにより、セカンドシート６が端部のめくれを防止しつつ吸収体４に接着されるようになるとともに、第２接着剤層２１で堰き止められ下層側に浸透した体液が確実に吸収体４に吸収されるようになる。前記第２接着剤層２１は、図示例のように前記吸収体４の側縁が長手方向に沿う直線で形成される場合には、この吸収体４の側縁に合わせて長手方向に沿う直線で形成するのが好ましく、吸収体４の側縁が曲線又は傾斜する直線を有する場合には、長手方向に沿う直線で形成してもよいし、吸収体４の側縁に合わせて曲線又は傾斜する直線を有するように形成してもよい。
【００５７】
前記第２接着剤層２１のナプキン長手方向の範囲としては、図１に示されるように、第１接着剤層２０よりナプキン長手方向に長く形成されている。ナプキン長手方向に長く形成するとは、第２接着剤層２１の前端が第１接着剤層２０の前端よりナプキン長手方向の前方に延びるように形成され、かつ第２接着剤層２１の後端が第１接着剤層２０の後端よりナプキン長手方向の後方に延びるように形成されることである。第２接着剤層２１を第１接着剤層２０よりナプキン長手方向に長く形成することにより、第１接着剤層２０で堰き止められ下層側に浸透した体液が長手方向に拡散しつつ幅方向外側に拡散しても、第２接着剤層２１で完全に堰き止めることができるようになる。
【００５８】
図１に示されるように、前記第２接着剤層２１の前後端部は、生理用ナプキン１の前後端部まで延びるように形成してもよいが、少なくとも生理用ナプキン１の長手寸法に対し７０％以上の長さで形成することにより、セカンドシート６と吸収体４との間を幅方向外側に拡散する体液に十分対応できるようになるため、この範囲に形成すればよい。図１に示されるように、排血口部Ｈを囲むエンボス溝１０が設けられる場合、エンボス溝１０で堰き止められた体液がエンボス溝１０を越えて外側に拡散するのを防止するため、前記第２接着剤層２１は、エンボス溝１０よりナプキン長手方向に長い範囲に形成するのが好ましい。
【００５９】
次に、前記第３接着剤層２２は、図１及び図３に示されるように、生理用ナプキン１の長手方向両端部にそれぞれ、幅方向に沿って形成されている。前記第３接着剤層２２は、図１に示されるように、生理用ナプキン１の長手方向端部の外形線が長手方向外側に膨出する湾曲線からなる場合には、この外形線にほぼ沿うように長手方向外側に膨出する湾曲状に形成するのが好ましい。
【００６０】
前記第３接着剤層２２は、透液性表面シート３とセカンドシート６との間に形成され、前記第１接着剤層２０を塗工する工程で同時に塗工するのが好ましい。前記第１接着剤層２０の塗工工程と同時塗工するには、前記第１接着剤層２０と同様にナプキン長手方向に沿う短い直線状パターンの単位接着剤層２２ａをナプキン幅方向に複数隙間なく配置することにより、全体としてナプキン幅方向に沿う接着剤層を形成するのが好ましい。このとき、前記複数の単位接着剤層２２ａ、２２ａ…がナプキン長手方向に沿う直線状のパターンであるため、図１に示されるようにナプキン長手方向端部の外形線が湾曲線からなる場合には、単位接着剤層２２ａを前後に少しずつずらして塗工するようにする。
【００６１】
前記第３接着剤層２２は、ナプキン長手方向の内側の端縁が、吸収体４と重なる位置まで延びるように形成するのが望ましい。これにより、第３接着剤層２２の内側端縁で堰き止められた体液が下層側に浸透したとき、吸収体４に吸収保持されるようになる。
【００６２】
前記第３接着剤層２２のナプキン幅方向の範囲は、図１に示されるように、吸収体４が介在する範囲とするのが好ましい。これにより、第３接着剤層２２で堰き止められ下層側に浸透した体液が吸収体４に吸収保持できるようになる。なお、前記第３接着剤層２２と第２接着剤層２１とは、ナプキン長手方向の端部で一部重なっていてもよいし、図１に示されるように、第２接着剤層２１のナプキン長手方向外側に第３接着剤層２２が設けられるようにしてもよい。
【００６３】
前記第１接着剤層２０、第２接着剤層２１及び第３接着剤層２２は、接着剤を面状に塗布することにより、ナプキン長手方向又はナプキン幅方向に連続する所定幅のほぼ帯状に形成されている。前記接着剤を面状に塗布することにより、各接着剤層の全面に亘って接着剤が塗布された接着部が形成されるようになり、接着部と非接着部とが混在する間欠的なものに比べ、体液の堰き止め効果が向上するようになる。
【００６４】
接着剤を面状に塗布するに当たっては、ホットメルト接着剤を接触式のスロット塗工で塗布することにより前記接着剤層を形成するのが好ましい。仮に、スプレー塗工やカーテン塗工などの非接触式の塗工方式の場合には、接着剤がノズルから飛び散って接着剤の塗布領域の端縁が不明確となってしまうため、体液の堰き止め効果が低下する。これに対し、前記接着剤層を接触式のスロット塗工で形成することにより、接着剤層の周縁が明確となり、体液を堰き止める効果がより一層向上できるようになる。また、スパイラル塗工やスプレー塗工などのように接着部と非接着部とが混在する間欠的な塗工では、接着部を越えて非接着部に体液が浸入しやすく、堰き止め効果が十分でない。これに対し、前記接触式のスロット塗工とすることにより、接着剤層の全面に亘って接着剤が塗布された接着部となるため、接着剤層への体液の浸入が防止でき、体液の堰き止め効果が向上できる。
【００６５】
前記第１接着剤層２０、第２接着剤層２１及び第３接着剤層２２の好ましい寸法は、図１及び図２に示されるように、第１接着剤層２０の幅Ｌ１としては１ｍｍ〜１０ｍｍ、好ましくは２ｍｍ〜５ｍｍとするのがよく、第１接着剤層２０の長さＬ２としては５０ｍｍ〜１００ｍｍ、好ましくは５５ｍｍ〜６５ｍｍとするのがよく、左右の離間幅Ｌ３としては３０ｍｍ〜５５ｍｍ、好ましくは４０ｍｍ〜５０ｍｍとするのがよい。また、第２接着剤層２１の幅Ｌ４としては５ｍｍ〜２０ｍｍ、好ましくは７ｍｍ〜１３ｍｍとするのがよく、第２接着剤層２１の長さＬ５としては１９０ｍｍ〜３００ｍｍ、好ましくは２２０ｍｍ〜２５０ｍｍ程度とするのがよく、左右の離間幅Ｌ６としては５０ｍｍ〜７０ｍｍ、好ましくは６０ｍｍ〜７０ｍｍとするのがよい。また、第１接着剤層２０と第２接着剤層２１との離間幅Ｌ７としては３ｍｍ〜１５ｍｍ、好ましくは３ｍｍ〜７ｍｍとするのがよい。また、第３接着剤層２２を構成する前記単位接着剤層２２ａの幅Ｌ８としては３ｍｍ〜３０ｍｍ、好ましくは１５ｍｍ〜２５ｍｍとするのがよく、前記単位接着剤層２２ａの長さＬ９としては５ｍｍ〜２５ｍｍ、好ましくは５ｍｍ〜１５ｍｍとするのがよい。
【００６６】
また、前記第１接着剤層２０、第２接着剤層２１及び第３接着剤層２２の接着剤の目付としては、５ｇ／ｍ２〜５０ｇ／ｍ２、好ましくは２０ｇ／ｍ２〜４０ｇ／ｍ２とするのがよい。
【００６７】
前記接着剤層２０〜２２を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソプレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００６８】
次に、本生理用ナプキン１の変形例について、図５〜図８に基づいて説明する。図５及び図６に示される生理用ナプキン１では、前記第１接着剤層２０の領域内にそれぞれ、透液性表面シート３の表面側からの圧搾により、長手方向に沿って両側エンボス１４を施している。前記両側エンボス１４は、前記第１接着剤層２０の領域内であって、前記中央エンボス１１の幅方向両側の前記中央エンボス１１より幅方向に離間して配置され、ナプキン長手方向に沿うとともに、前記中央エンボス１１の両側部にほぼ平行して形成されている。前記両側エンボス１４を設けることにより、幅方向外側への体液の流れが堰き止められ、横漏れが防止できる。また、図７に示されるように、両側エンボス１４を施した部分の透液性表面シート３とセカンドシート６との間に、前記第１接着剤層２０が設けられるため、両側エンボス１４近傍のポリマーが吸水して膨張した際、両側エンボス１４の圧縮力によってポリマーの膨張が抑制され、ポリマーに吸収された体液が透液性表面シート３の表面側に逆戻りするのが防止できるようになる。これにより、逆戻りした体液が横漏れするのも回避できる。
【００６９】
前記両側エンボス１４は、図示例では、隣接する中央エンボス１１のナプキン長手方向に沿う部分と並行するように、幅方向外側に膨出する湾曲状に形成されているが、幅方向内側に膨出する湾曲線や直線、幅方向に凹凸を繰り返す波状線などで形成してもよい。
【００７０】
前記第１接着剤層２０は、前記両側エンボス１４を含む範囲、すなわち両側エンボス１４より大きな範囲に形成されている。また、前記第１接着剤層２０は、両側エンボス１４による厚みの低下が生じなくなる範囲、具体的には圧搾の影響が及ばない部分の厚みに対して８０％以上の厚みを有する範囲まで形成するのが好ましい。これにより、両側エンボス１４を施したことによる圧搾の影響がほとんど及ばない範囲までの逆戻りが確実に防止できるようになる。
【００７１】
次いで、図８に示される生理用ナプキン１の変形例について説明する。本生理用ナプキン１では、ナプキン長手方向両端の前後漏れの防止効果を高めるため、透液性表面シート３とセカンドシート６との間の前記エンボス溝１０より前側及び後側の両方又はいずれか一方に、前記エンボス溝１０に沿って、接着剤を面上に塗布した第４接着剤層２３が形成されている。すなわち、前記第４接着剤層２３は、排血口部Ｈを囲むように形成されたエンボス溝１０のうち、前側に配置された前側エンボス１２より前側及び後側に配置された後側エンボス１３より後側の両方又はいずれか一方の領域に形成されている。これにより、前記前側エンボス１２又は後側エンボス１３より長手方向外側に拡散しようとする体液が前記第４接着剤層２３によって堰き止められ、前後漏れが確実に防止できるようになる。一方、Ω状又は逆Ω状に形成された前側エンボス１２、後側エンボス１３の内側での体液の拡散を促進するため、これらエンボスの内側には接着剤層を設けないようにする。なお、図示例では、前側エンボス１２の前側及び後側エンボス１３の後側の両方にそれぞれ第４接着剤層２３を設けているが、いずれか一方にのみ設けるようにしてもよい。
【実施例】
【００７２】
図１〜図３に示される前記接着剤層を所定の領域に接触式のスロット塗工によって形成した本発明に係る生理用ナプキン１（実施例）、前記接着剤層を設けない生理用ナプキン（比較例１）、前記接着剤層を所定の領域にスパイラル塗工によって形成した生理用ナプキン（比較例２）について、体液の拡散範囲を比較する試験を行った。
【００７３】
前記実施例に係る生理用ナプキン１では、前記第１接着剤層２０及び第２接着剤層２１が形成され、それぞれ目付を３０ｇ／ｍ２としている。図１及び図２に示される各部の寸法は、Ｌ１＝５ｍｍ、Ｌ２＝６０ｍｍ、Ｌ３＝４５ｍｍ、Ｌ４＝１０ｍｍ、Ｌ５＝２４０ｍｍ、Ｌ６＝６５ｍｍ、Ｌ７＝５ｍｍとした。
【００７４】
前記比較例２に係る生理用ナプキンでは、前記第１接着剤層２０及び第２接着剤層２１に対応する接着剤層をそれぞれ、ホットメルト接着剤を連続する螺旋状（スパイラル状）に塗布することにより形成し、接着剤の目付を１０ｇ／ｍ２、スパイラルのピッチを約５ｍｍとしている。前記第１接着剤層２０に対応する接着剤層の幅は１０ｍｍ、第２接着剤層２１に対応する接着剤層の幅は２０ｍｍとした。その他の寸法は上記実施例と同じである。
【００７５】
試験方法は、各ナプキンの透液性表面シートの表面中央部に、３７℃の人工経血（粘度８）を３ｃｃずつ１分間隔で繰り返し３回滴下したときの各回の人工経血の拡散範囲（ナプキンの長手方向及び幅方向の最大長さ）を定規によって測定した。前記人工経血は、１リットル中の成分が、グリセリン１００ｍｌ、ＣＭＣ（カルボキシメチルセルロースナトリウム）４．６ｇ、精製水８７５ｍｌ、塩化ナトリウム１０ｇ、炭酸ナトリウム１０．７ｇのものを使用した。
【００７６】
この結果、表１に示されるように、前記接着剤層を設けない比較例１は、接着剤層を設けた比較例２及び実施例と比較して幅方向により広い範囲に体液が拡散しやすい。
【００７７】
また、前記接着剤層をスパイラルパターンで塗布した比較例２では、曲線状の接着部と非接着部が混在するため、体液が接着部を越えて非接着部に浸入しやすく、実施例と比較して幅方向の広い範囲に体液が拡散する。
【００７８】
これに対して、実施例では、前記接着剤層が接着剤を面状に塗布することにより形成されるため、前記接着剤層によって外側に拡散する体液が確実に堰き止められ、比較例１、２と比較して幅方向への拡散が抑えられるようになる。
【００７９】
以上の結果から、接着剤を面状に塗布した接着剤層を所定の領域に設けることにより、体液の拡散が抑制され、吸収体に吸収される前の体液がシート間を拡散して外側に漏れるのが防止できるようになる。
【表１】
0006457835.tif 000002
【００８０】
〔他の形態例〕
上記形態例では、透液性表面シート３と吸収体４との間に親水性のセカンドシート６を配設し、前記第１接着剤層２０を前記透液性表面シート３とセカンドシート６との間に形成し、前記第２接着剤層２１を前記セカンドシート６と吸収体４との間に形成していたが、これに代えて、図９に示されるように、前記セカンドシート６を配設せずに、前記吸収体４を被包シート５で囲繞し、前記第１接着剤層２０を前記透液性表面シート３と被包シート５との間に形成し、前記第２接着剤層２１を前記被包シート５と吸収体４との間に形成してもよい。これにより、セカンドシート６が不要になり、原料コストを低減することが可能となる。
【符号の説明】
【００８１】
１…生理用ナプキン、２…不透液性裏面シート、３…透液性表面シート、４…吸収体、６…セカンドシート、７…サイド不織布、１０…エンボス溝、１１…中央エンボス、１２…前側エンボス、１３…後側エンボス、１４…両側エンボス、２０…第１接着剤層、２１…第２接着剤層、２２…第３接着剤層、２３…第４接着剤層
【図１】
0006457835.tif 000003
【図２】
0006457835.tif 000004
【図３】
0006457835.tif 000005
【図４】
0006457835.tif 000006
【図５】
0006457835.tif 000007
【図６】
0006457835.tif 000008
【図７】
0006457835.tif 000009
【図８】
0006457835.tif 000010
【図９】
0006457835.tif 000011